(57)【要約】【課題】筐体を回転することにより発電することができる電子機器を提供する。【解決手段】筐体１には孔１ｂが設けられており、孔１ｂの周囲にはコイル４が埋設されている。また、孔１ｂ内には、転動体３を介して永久磁石２が嵌合されている。永久磁石２は外側が着磁されており、且つ回転可能であり、永久磁石２が回転することにより、コイル４に誘導電流が生じる。これにより二次電池を充電し、二次電池は、電力を供給されて機能する筐体１の各機能部に給電を行う。【選択図】図２
2013255307.tif 000002
【特許請求の範囲】
【請求項１】
二次電池と、
該二次電池から給電されて機能する機能部と、
前記二次電池及び機能部を収納する筐体とを備える電子機器において、
前記筐体には孔が設けられており、
回転可能に前記孔に嵌合しており、周方向に磁極が並設された円筒状の永久磁石と、
中心軸が前記孔の径方向と略同一方向となるよう、前記筐体内部における前記孔の周囲に固定されており、前記永久磁石との電磁的結合によって生じた電流により、前記二次電池を充電するコイルとを備える
ことを特徴とする電子機器。
【請求項２】
前記永久磁石と前記孔の周面とに夫々溝が周設されており、
該溝に嵌入される転動体を備える
ことを特徴とする請求項１に記載の電子機器。
【発明の詳細な説明】
【技術分野】
【０００１】
本発明は、二次電池を備える電子機器に関する。
【背景技術】
【０００２】
二次電池を用いる携帯用ラジオ又は携帯電話等の携帯型の電子機器は、小型軽量化の要請から二次電池の容量に制限がある。こうした電子機器は、外出時又は災害時等、電源が無い場所で使用する場合には、二次電池を充電することができないため、長時間使用することができないという問題があった。
【０００３】
そこで、特許文献１及び２には、棒状の回転体を振り回すことにより、発電を行い、二次電池に充電する発電機が記載されている。
【先行技術文献】
【特許文献】
【０００４】
【特許文献１】特開２００６−２３８４４２号公報
【特許文献２】特開２００９−１０５８１９号公報
【発明の概要】
【発明が解決しようとする課題】
【０００５】
しかし、特許文献１及び２に記載の発電機は、電子機器とは別体であるため、携帯が困難であるという問題があった。
【０００６】
本発明は斯かる問題点に鑑みてなされたものであり、筐体を回転することにより発電することができる電子機器を提供することを目的とする。
【課題を解決するための手段】
【０００７】
本発明に係る電子機器は、二次電池と、該二次電池から給電されて機能する機能部と、前記二次電池及び機能部を収納する筐体とを備える電子機器において、前記筐体には孔が設けられており、回転可能に前記孔に嵌合しており、周方向に磁極が並設された円筒状の永久磁石と、中心軸が前記孔の径方向と略同一方向となるよう、前記筐体内部における前記孔の周囲に固定されており、前記永久磁石との電磁的結合によって生じた電流により、前記二次電池を充電するコイルとを備えることを特徴とする。
【０００８】
本発明によれば、筐体に固定されたコイルが、回転可能な永久磁石との電磁的結合により発電するので、筐体を回転することにより発電することができる電子機器が実現される。
【０００９】
本発明に係る電子機器は、前記永久磁石と前記孔の周面とに夫々溝が周設されており、該溝に嵌入される転動体を備えることを特徴とする。
【００１０】
本発明によれば、永久磁石及び孔に周設された溝に転動体が嵌入しているので、永久磁石が孔の側部と直接接触する場合より、回転する際の摩擦抵抗が低減される。
【発明の効果】
【００１１】
本発明によれば、筐体に固定されたコイルが、回転可能な永久磁石との電磁的結合により発電するので、筐体を回転することにより発電することができる電子機器を実現することができる。
【図面の簡単な説明】
【００１２】
【図１】本実施の形態に係る携帯電話機の模式的平面図である。
【図２】携帯電話機の模式的部分横断面図及び部分縦断面図である。
【図３】本実施の形態に係る携帯電話機のブロック図である。
【図４】携帯電話機を充電する態様を示した模式図である。
【発明を実施するための形態】
【００１３】
本発明の実施の形態について説明する。図１は本実施の形態に係る携帯電話機の模式的平面図であり、図２は携帯電話機の模式的部分横断面図及び部分縦断面図である。
【００１４】
図において１は携帯電話機の筐体である。筐体１は、略直方体状の樹脂製であり、長手方向側の一側面から一部が突出した発電部１ａが設けられている。発電部１ａは、筐体１の幅に対して半分程度の直径の略半円状をなす。発電部１ａには、厚み方向に貫通する円形の孔１ｂが設けられている。孔１ｂの周面には、筐体１の厚み方向の中央付近に溝１ｃが周設されている。また、孔１ｂの周囲には、円柱状をなすケイ素鋼板製の芯に銅線を巻回してなるコイル４、４、…が放射状に配置されており、夫々の中心軸の方向が孔１ｂの径方向と略同一方向となるよう、樹脂モールドされている。
【００１５】
一方、孔１ｂの内側には、外径が孔１ｂより若干小さい円筒形をなし、中心軸の軸長が筐体１の厚みより若干短い永久磁石２が嵌入されている。永久磁石２の孔２ｂは人の指を嵌入することができる程度の大きさである。また、永久磁石２は、溝１ｃと対向する位置に溝２ｃが周設されている。又、永久磁石２は、夫々曲板状をなし、周方向の両端夫々が磁極となっている磁石分体２ｄ、２ｄ、…と、ヨーク２ｅ、２ｅ、…とが交互に複数連設されてなるものである。磁石分体２ｄ、２ｄ、…及びヨーク２ｅ、２ｅ、…の周方向の長さは、磁極夫々が等配されるように定められている。溝１ｃと２ｃとは対向しており、両者の間にステンレス球である転動体３、３、…が、溝１ｃと２ｃとに夫々半分弱程度埋まるよう嵌合している。これにより、永久磁石２を内輪とし、筐体１における孔１ｂの側部を外輪とする転がり軸受が形成され、永久磁石２は、筐体１と直接接触することなく孔１ｂ内で回転することができる。
【００１６】
図３は本実施の形態に係る携帯電話機のブロック図である。筐体１の内部には、コイル４、４、…夫々の両端と接続された整流回路５、整流回路５と接続された平滑回路６及び該平滑回路６と接続された二次電池７が設けられている。さらに、筐体１の内部には、制御回路１１、操作部１２、表示部１３、赤外線センサ１４、スピーカ１５及びマイク１６等、二次電池７より給電されて機能する各機能部が設けられている。なお、筐体１の側部にはコネクタ８が設けられており、整流回路５はコネクタ８と接続されている。コネクタ８は、外部の商用電源と図示しない充電ケーブルを介して接続可能である。
【００１７】
図４は携帯電話機を充電する態様を示した模式図である。使用者は指を永久磁石２の孔１ｂ内に嵌入して、筐体１を回転させる。この場合、永久磁石２だけは回転せずに位置が固定されている。従って、筐体１を回転することによりコイル４に交流の誘導電流が生じる。整流回路５は交流電流を整流し、平滑回路６は整流された電流を平滑にする。平滑回路６を通じた電流は二次電池７に流れ、二次電池７が充電される。
【００１８】
二次電池７は、制御回路１１、操作部１２、表示部１３、赤外線センサ１４、スピーカ１５及びマイク１６等の各機能部に給電を行う。なお、二次電池７は図示しない充電ケーブル及びコネクタ８と接続した商用電源によって充電することもできる。
【００１９】
また、永久磁石２の孔１ｂを紐で通し、使用者の首又は腰から吊り下げるようにしてもよい。使用者が動くことにより、永久磁石２は位置が固定されているが、筐体１は回転する。これにより、コイル４、４、…に交流の誘導電流が生じ二次電池７が充電される。
【００２０】
本実施の形態では携帯電話機について示したが、携帯電話機に限らず、スマートフォン、ラジオ、カメラ又は懐中電灯等携帯可能な電子機器であればよい。永久磁石２の磁極は、磁極対が１つであっても複数であってもよい。また、転動体３を介さず、永久磁石２が孔１ｂの側部と直接接触して、回転可能となるようにしてもよい。永久磁石２は径方向に磁極が対をなす曲板状の磁石分体が、Ｓ極とＮ極が周方向に沿って交互になるよう連設されていてもよい。
【００２１】
本実施の形態によれば、筐体１に固定されたコイル４が、回転可能な永久磁石２との電磁的結合により発電するので、筐体を回転することにより発電することができる電子機器を実現することができる。
【００２２】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００２３】
１  筐体
１ａ  発電部
１ｂ  孔
１ｃ  溝
２  永久磁石
２ｂ  孔
２ｃ  溝
２ｄ  磁石分体
２ｅ  ヨーク
３  転動体
４  コイル
５  整流回路
６  平滑回路
７  二次電池
８  コネクタ
１１  制御回路
１２  操作部
１３  表示部
１４  赤外線センサ
１５  スピーカ
１６  マイク
【図１】
2013255307.tif 000003
【図２】
2013255307.tif 000004
【図３】
2013255307.tif 000005
【図４】
2013255307.tif 000006